(57)【要約】      （修正有）【課題】歯科用照明装置に対する取手の固定を行えるようにしつつ、歯科用照明装置の取手を外す際の作業性を向上させる歯科用照明装置を提供する。【解決手段】光源１１１を備えた装置本体１１０と、装置本体１１０に対し着脱可能に設けられ、装置本体１１０に固定される第１部位２８１と、装置本体１１０に固定される第２部位２８２とを備え、操作者により把持される取手２１０，２５０と、を備え、装置本体１１０と第１部位２８１との固定部分である第１固定部分の構造と、装置本体１１０と第２部位との固定部分である第２固定部分の構造とが異なる歯科用照明装置１００。【選択図】図２
2019195514.tif 000002
【特許請求の範囲】
【請求項１】
光源を備えた装置本体と、
前記装置本体に対し着脱可能に設けられ、当該装置本体に固定される第１部位と、当該装置本体に固定される第２部位とを備え、操作者により把持される取手と、
を備え、
前記装置本体と前記第１部位との固定部分である第１固定部分の構造と、当該装置本体と前記第２部位との固定部分である第２固定部分の構造とが異なる歯科用照明装置。
【請求項２】
前記第１固定部分および前記第２固定部分の一方の固定部分では、前記取手を引っ張っただけでは固定が解除されないように構成されている請求項１に記載の歯科用照明装置。
【請求項３】
他方の固定部分では、前記取手を引っ張ることで固定が解除されるように構成されている請求項２に記載の歯科用照明装置。
【請求項４】
前記一方の固定部分には、操作者により操作される被操作部が設けられ、
前記一方の固定部分における固定の解除には、前記被操作部に対する操作者の操作が必要である請求項２に記載の歯科用照明装置。
【請求項５】
前記第１固定部分および前記第２固定部分のうちの他方の固定部分には、前記取手の前記第１部位および前記第２部位のうちの何れか一方の部位が位置し、
前記一方の部位は、前記装置本体の被固定箇所に対して固定され、
前記被固定箇所および前記一方の部位のうちの一方には、突出部が設けられ、他方には、当該突出部が収容される収容部が設けられ、
前記被操作部に対する操作者の操作が行われておらず前記一方の固定部分における固定の解除が行われていない状態にて、前記一方の部位を前記被固定箇所から離れる方向へ引っ張ったとしても、前記突出部の少なくとも先端部が前記収容部内に留まる請求項４に記載の歯科用照明装置。
【請求項６】
前記一方の固定部分における固定の解除には、前記取手の引っ張り方向とは交差する方向へ前記被操作部を移動させる操作が必要である請求項４に記載の歯科用照明装置。
【請求項７】
前記被操作部は、前記歯科用照明装置の背面側に設けられている請求項４に記載の歯科用照明装置。
【請求項８】
前記歯科用照明装置は、前記取手の引っ張り方向と交差する方向における位置が互いに異なる一端部および他端部を有し、
前記被操作部は、前記一端部および前記他端部の何れか一方に寄せられて配置されている請求項４に記載の歯科用照明装置。
【請求項９】
前記取手の引っ張り方向へ当該取手を付勢する付勢手段をさらに備え、
前記付勢手段は、前記一方の固定部分に設けられ、他方の固定部分には設けられていない請求項２に記載の歯科用照明装置。
【請求項１０】
前記第１部位および前記第２部位のうちの、他方の固定部分に位置する部位を、前記取手の引っ張り方向と交差する方向へ付勢する付勢手段を更に備える請求項２に記載の歯科用照明装置。
【請求項１１】
光源を備えた装置本体と、
前記装置本体に対し着脱可能に設けられ、当該装置本体に固定される第１部位と、当該装置本体に固定される第２部位とを備え、操作者により把持される取手と、
を備え、
前記装置本体と前記第１部位との固定部分における固定を解除するために要する操作と、当該装置本体と前記第２部位との固定部分における固定を解除するために要する操作とが異なる歯科用照明装置。
【発明の詳細な説明】
【技術分野】
【０００１】
本発明は、歯科用照明装置に関する。
【背景技術】
【０００２】
特許文献１には、患者を支持する診療シートと、診療シートに固定されるベースンポールとを備えた歯科診療装置が開示されている。
【先行技術文献】
【特許文献】
【０００３】
【特許文献１】特開平１０−３３５６９号公報
【発明の概要】
【発明が解決しようとする課題】
【０００４】
歯科用照明装置に設けられた取手については、滅菌等を可能とするため、取り外しできるようにすることが好ましい。
ここで、取手を取り外しやすいと、取手を外す際の作業性が向上するが、その一方で、取手を把持して歯科用照明装置を移動させる際に、取手が外れやすくなる。逆に、取手が外れにくいと、歯科用照明装置を移動させる際の取手の外れを抑えられるが、この場合は、取手を取り外す際の作業性が悪化する。
本発明の目的は、歯科用照明装置に対する取手の固定を行えるようにしつつ、歯科用照明装置の取手を外す際の作業性を向上させることにある。
【課題を解決するための手段】
【０００５】
かかる目的のもと、本発明が適用される歯科用照明装置は、光源を備えた装置本体と、前記装置本体に対し着脱可能に設けられ、当該装置本体に固定される第１部位と、当該装置本体に固定される第２部位とを備え、操作者により把持される取手と、を備え、前記装置本体と前記第１部位との固定部分である第１固定部分の構造と、当該装置本体と前記第２部位との固定部分である第２固定部分の構造とが異なる歯科用照明装置である。
ここで、前記第１固定部分および前記第２固定部分の一方の固定部分では、前記取手を引っ張っただけでは固定が解除されないように構成されていることを特徴とすることができる。
また、他方の固定部分では、前記取手を引っ張ることで固定が解除されるように構成されていることを特徴とすることができる。
また、前記一方の固定部分には、操作者により操作される被操作部が設けられ、前記一方の固定部分における固定の解除には、前記被操作部に対する操作者の操作が必要であることを特徴とすることができる。
また、前記第１固定部分および前記第２固定部分のうちの他方の固定部分には、前記取手の前記第１部位および前記第２部位のうちの何れか一方の部位が位置し、前記一方の部位は、前記装置本体の被固定箇所に対して固定され、前記被固定箇所および前記一方の部位のうちの一方には、突出部が設けられ、他方には、当該突出部が収容される収容部が設けられ、前記被操作部に対する操作者の操作が行われておらず前記一方の固定部分における固定の解除が行われていない状態にて、前記一方の部位を前記被固定箇所から離れる方向へ引っ張ったとしても、前記突出部の少なくとも先端部が前記収容部内に留まることを特徴とすることができる。
また、前記一方の固定部分における固定の解除には、前記取手の引っ張り方向とは交差する方向へ前記被操作部を移動させる操作が必要であることを特徴とすることができる。
【０００６】
また、前記被操作部は、前記歯科用照明装置の背面側に設けられていることを特徴とすることができる。
また、前記歯科用照明装置は、前記取手の引っ張り方向と交差する方向における位置が互いに異なる一端部および他端部を有し、前記被操作部は、前記一端部および前記他端部の何れか一方に寄せられて配置されていることを特徴とすることができる。
また、前記取手の引っ張り方向へ当該取手を付勢する付勢手段をさらに備え、前記付勢手段は、前記一方の固定部分に設けられ、他方の固定部分には設けられていないことを特徴とすることができる。
また、前記第１部位および前記第２部位のうちの、他方の固定部分に位置する部位を、前記取手の引っ張り方向と交差する方向へ付勢する付勢手段を更に備えることを特徴とすることができる。
【０００７】
他の観点から捉えると、本発明が適用される歯科用照明装置は、光源を備えた装置本体と、前記装置本体に対し着脱可能に設けられ、当該装置本体に固定される第１部位と、当該装置本体に固定される第２部位とを備え、操作者により把持される取手と、を備え、前記装置本体と前記第１部位との固定部分における固定を解除するために要する操作と、当該装置本体と前記第２部位との固定部分における固定を解除するために要する操作とが異なる歯科用照明装置である。
【発明の効果】
【０００８】
本発明によれば、歯科用照明装置に対する取手の固定を行えるようにしつつ、歯科用照明装置の取手を外す際の作業性を向上させることができる。
【図面の簡単な説明】
【０００９】
【図１】歯科用診療装置の全体構成を示した斜視図である。
【図２】（Ａ）、（Ｂ）は、歯科用照明装置の正面図である。
【図３】（Ａ）、（Ｂ）は、歯科用照明装置の背面側から歯科用照明装置を見た場合の図である。
【図４】第１固定部分の構造を説明する斜視図である。
【図５】図４の矢印Ｖから第１固定部分を眺めた場合の図である。
【図６】第２固定部分の構造を説明する図である。
【図７】図６の矢印ＶＩＩ方向から第２固定部分を眺めた場合の断面図である。
【図８】図６の矢印ＶＩＩＩで示す方向から第２固定部分を眺めた場合の断面図である。
【発明を実施するための形態】
【００１０】
以下、添付図面を参照して、本発明の実施形態について説明する。
図１は、本実施形態にかかる歯科用診療装置１の全体構成を示した斜視図である。
同図に示すように、本実施形態の歯科用診療装置１では、床面の上に、患者を下方から支持する診療台２が設けられている。
診療台２は、基台２ａ、基台２ａにより支持され昇降可能に設けられた座板２ｂを備える。さらに、診療台２は、一端が座板２ｂに取り付けられこの一端を中心に回転する背板２ｃ、背板２ｃに取り付けられ患者の頭を支えるヘッドレスト２ｄを備える。
【００１１】
また、歯科用診療装置１には、診療台２の脇に、医師用のトレーテーブル３が設けられ、さらに、医師用のインスツルメントホルダ１０が設けられている。
さらに、診療台２を挟みトレーテーブル３の反対側には、アシスタント用のインスツルメントホルダ４が設けられている。
また、患者の口腔への光照射を行う歯科用照明装置１００、歯科用照明装置１００を支持するアーム６ｂ、アーム６ｂを支持する支柱６ｃが設けられている。
【００１２】
なお、ドクター用のインスツルメントホルダ１０及びアシスタント用のインスツルメントホルダ４には、歯科用の診療用器具（インスツルメント）１１が抜差し自在に保持される（図１では、アシスタント用の診療用器具１１のみを図示）。
ドクター用の診療用器具１１としては、例えば、エアタービンハンドピース、マイクロモータハンドピース、スケーラ、スリーウェーシリンジ、根管長測定器、根管拡大器、口腔内カメラを挙げることができる。
【００１３】
また、アシスタント用の診療用器具１１としては、例えば、患者の口腔内の唾液、血液、切削屑など（以下、「廃液」と称することがある）を吸引する吸引用器具２０を挙げることができる。
なお、図１では、インスツルメントホルダ４によって、吸引用器具２０の一例としてのサクションシリンジ（バキュームシリンジ）２１、サライバエジェクタ２２が保持されている。
吸引用器具２０の各々は、真空ポンプやコンプレッサーなどの不図示の吸気源（後述）に接続されており、この吸気源にて吸気が行われることで、上記廃液の吸引を行う。
【００１４】
また、本実施形態では、診療台２の脇に、患者がうがいに用いるコップに水を供給する供給装置（スピットン装置）５が設けられている。
供給装置５には、ベースユニット５１、ベースユニット５１の上に設置され患者の口腔内から排出された廃液を受ける廃液受け部（ベースン）５２、コップに対し水を供給するコップ用給水部５３、清掃用の水を廃液受け部５２に供給する清掃用給水部５４が設けられている。
【００１５】
さらに、供給装置５には、ベースユニット５１の内部に、廃液を収容する収容容器（サクションタンク）６０が設けられている。
収容容器６０には、上記吸引用器具２０（サクションシリンジ２１、サライバエジェクタ２２等）によって吸引された廃液（患者の口腔内から吸引された廃液）が収容される。
【００１６】
図２（Ａ）、（Ｂ）は、歯科用照明装置１００の正面図である。
図２（Ａ）に示すように、歯科用照明装置１００には、光源１１１を備えた装置本体１１０、装置本体１１０に対し着脱可能な取手２００が設けられている。
装置本体１１０には、光源１１１が設けられるとともに、光源１１１の背後には、光源１１１から出射された光を反射する光反射部材１１２が設けられている。光源１１１から出射された光は、光反射部材１１２にて反射して、図中、紙面の手前側方向に向かって進行する。
【００１７】
本実施形態では、取手２００として、図２（Ａ）に示すように、右側取手２１０、左側取手２５０の２つの取手２００が設けられている。
右側取手２１０は、歯科用照明装置１００を正面から見た場合に右側に位置する。図２（Ｂ）に示すように、右側取手２１０は、装置本体１１０のうちの図中右側の部分に対して着脱可能となっている。
また、左側取手２５０は、歯科用照明装置１００を正面から見た場合に左側に位置する。図２（Ｂ）に示すように、左側取手２５０は、装置本体１１０のうちの図中左側の部分に対して着脱可能となっている。
【００１８】
図２（Ｂ）では、装置本体１１０から右側取手２１０、左側取手２５０が取り外された状態を示している。
本実施形態では、右側取手２１０および左側取手２５０の固定を解除するための操作を行ったうえで（詳細は後述）、装置本体１１０から離れる方向へ右側取手２１０、左側取手２５０を引っ張る。これにより、装置本体１１０から、右側取手２１０、左側取手２５０が外れる。
【００１９】
図２（Ｂ）に示すように、右側取手２１０、左側取手２５０の各々は、装置本体１１０に固定される第１部位２８１、第２部位２８２を備える。本実施形態では、この第１部位２８１、第２部位２８２の両者が、装置本体１１０に固定される。
さらに、本実施形態では、図２（Ｂ）に示すように、第１部位２８１と第２部位２８２との間に、把持部２８３が設けられ、右側取手２１０、左側取手２５０が操作者により把持される際には、この把持部２８３が把持される。
把持部２８３は、略矩形状の歯科用照明装置１００の短手方向に延びるように配置される。第１部位２８１、第２部位２８２は、この把持部２８３の端部に接続され、さらに、把持部２８３の延び方向に対して直交（交差）する方向に沿うように配置される。
【００２０】
本実施形態の歯科用照明装置１００では、右側取手２１０、左側取手２５０の滅菌を行えるようになっており、この場合、まず、装置本体１１０から、右側取手２１０および左側取手２５０が取り外される。
そして、取り外された右側取手２１０、左側取手２５０は、オートクレーブ（高圧蒸気滅菌器）にセットされる。これにより、右側取手２１０、左側取手２５０の滅菌が行われる。
なお、右側取手２１０、左側取手２５０は、同様に構成され、以下の説明では、右側取手２１０について説明する。
【００２１】
図３（Ａ）、（Ｂ）は、歯科用照明装置１００の背面側から歯科用照明装置１００を見た場合の図である。
図３（Ａ）に示すように、歯科用照明装置１００には、装置本体１１０と第１部位２８１との固定部分である第１固定部分２９１が設けられている。さらに、装置本体１１０と第２部位２８２との固定部分である第２固定部分２９２が設けられている。
【００２２】
本実施形態では、第１固定部分２９１の構造と、第２固定部分２９２の構造とが異なっている。
これにより、本実施形態では、第１固定部分２９１における固定を解除するために要する操作と、第２固定部分２９２における固定を解除するために要する操作とが異なるようになる。
【００２３】
具体的には、本実施形態では、第１固定部分２９１における固定の解除には、右側取手２１０を引っ張る操作以外の操作が必要となっている。付言すると、第１固定部分２９１は、右側取手２１０を引っ張っただけでは固定が解除されないように構成されている。
より具体的には、図３（Ａ）に示すように、第１固定部分２９１には、操作者により操作される被操作部２１１が設けられており、第１固定部分２９１における固定の解除には、被操作部２１１に対する操作者の操作が必要となる。
【００２４】
より具体的には、本実施形態では、第１固定部分２９１における固定の解除には、右側取手２１０の引っ張り方向（図中矢印３Ａで示す方向）とは交差する方向へ、被操作部２１１を移動させる操作が必要となっている。
より具体的には、第１固定部分２９１における固定の解除には、被操作部２１１を図中矢印３Ｂで示す方向へ押圧する操作が必要になっている。
【００２５】
その一方で、他方の固定部分である第２固定部分２９２には、被操作部２１１が設けられておらず、第２固定部分２９２では、右側取手２１０を引っ張ることで固定が解除される。
付言すると、第１固定部分２９１における固定の解除には、被操作部２１１に対する操作、右側取手２１０の引っ張り操作が必要となっており、第２固定部分２９２における固定の解除には、右側取手２１０の引っ張り操作が必要となっている。
【００２６】
また、本実施形態では、右側取手２１０の取り外しを、片手で行えるようになっている。
具体的には、本実施形態では、まず、図３（Ａ）に示すように、右手で、被操作部２１１に対する操作を行い、次いで、図３（Ｂ）に示すように、右手で、右側取手２１０を引っ張ることで、右側取手２１０の取り外しを行える。
【００２７】
本実施形態では、上記の通り、滅菌を可能とするため、右側取手２１０が取り外せるようなっている。ここで、第１固定部分２９１も、第２固定部分２９２と同様に構成すれば、右側取手２１０を引っ張るだけで右側取手２１０を取り外せるようになり、右側取手２１０の取り外しをより簡易に行える。
しかしながら、この場合、右側取手２１０を把持して歯科用照明装置１００を移動させる際に、右側取手２１０が外れやすくなり、歯科用照明装置１００を移動させる際の操作性が悪化する。
【００２８】
また、第２固定部分２９２を、第１固定部分２９１と同様に構成し、第２固定部分２９２にも被操作部２１１を設置する態様が考えられる。
この場合は、歯科用照明装置１００を移動させる際の右側取手２１０の外れは抑制できるが、その一方で、右側取手２１０の取り外し時の手間が増え、滅菌時の作業性が悪化する。
【００２９】
より具体的には、第２固定部分２９２にも被操作部２１１を設けると（第２固定部分２９２を第１固定部分２９１と同様に構成すると）、例えば、第１固定部分２９１の被操作部２１１を右手で押圧し、第２固定部分２９２の被操作部２１１を左手で押圧する作業が必要になるなど、右側取手２１０の取り外し作業が複雑化する。そして、この場合、滅菌時の作業性が悪化する。
【００３０】
これに対し、本実施形態のように、第１固定部分２９１の構造と第２固定部分２９２の構造とを異ならせると、上記のとおり、装置本体１１０と右側取手２１０との固定を確保しつつ、右側取手２１０の取り外しを片手で行えるようになる。
言い換えると、装置本体１１０と右側取手２１０との固定を確保しつつ、右側取手２１０を簡易に取り外せるようになる。
【００３１】
さらに、本実施形態では、図３（Ａ）に示すように、被操作部２１１は、歯科用照明装置１００の背面側に設けられている。
これにより、本実施形態では、歯科用照明装置１００の正面側に（前面側に）、被操作部２１１が設けられる場合に比べ、歯科用照明装置１００の外観が向上する。
【００３２】
さらに、歯科用照明装置１００は、図２（Ａ）に示すように、取手２００の引っ張り方向と交差（直交）する方向における位置が互いに異なる一端部１０５（一側辺）および他端部１０６（他側辺）を有する。
言い換えると、歯科用照明装置１００は、歯科用照明装置１００の短手方向における位置が互いに異なる一端部１０５および他端部１０６を有する。
そして、本実施形態の歯科用照明装置１００では、被操作部２１１（図３（Ａ）参照）は、この一端部１０５および他端部１０６のうちの何れか一方側に寄せられて配置されている。具体的には、本実施形態では、一端部１０５側に寄せられて配置されている。
【００３３】
本実施形態では、図３（Ａ）の矢印３Ｄで示すように、被操作部２１１に対する操作時には、例えば、歯科用照明装置１００の上部側から右手を差し出して被操作部２１１に対する操作を行うことが想定される。
この場合に、上記のように、被操作部２１１が、一端部１０５および他端部１０６のうちの何れか一方に寄せられて配置されていると、一端部１０５および他端部１０６との間の中間地点に、被操作部２１１が設けられる場合に比べ、被操作部２１１へアクセスしやすくなる。
【００３４】
被操作部２１１の位置について更に説明すると、本実施形態では、診療台２（図１参照）に座った患者に対して歯科用照明装置１００を対向させた際に、被操作部２１１が、歯科用照明装置１００の上部側に位置する構成となっている。
より具体的には、座った状態の患者に対して歯科用照明装置１００を対向させる場合、図１に示す歯科用照明装置１００を、矢印１Ｂに示す方向へ回転させることになるが、この回転を行った後の状態において、被操作部２１１は、歯科用照明装置１００の上部側に位置する。
付言すると、回転させた後の状態においては、歯科用照明装置１００の光軸が水平方向に沿うようになるが、この状態では、被操作部２１１は、歯科用照明装置１００の上部側に位置する。
【００３５】
この状態では（光軸が水平方向に沿う状態では）、図３（Ａ）の矢印３Ｄで示すように、被操作部２１１に対する操作は、歯科用照明装置１００の上部側から手を下方へ移動させることにより行う。
ここで、例えば、被操作部２１１を、歯科用照明装置１００の下部側に設置する態様も考えられるが、この場合は、歯科用照明装置１００の下方から上方へ手を移動させる形となってしまう。
これに対し、本実施形態のように、上部側に被操作部２１１が設けられていると、下部側に被操作部２１１が設けられている場合に比べ、手を動かしやすくなり作業性が向上する。
【００３６】
図４は、第１固定部分２９１の構造を説明する斜視図である。
装置本体１１０側には、装置本体１１０の端部（装置本体１１０の幅方向（長手方向）における端部）から、装置本体１１０の幅方向に向かって突出した突出部１３１が設けられている。
突出部１３１は、四角柱状に形成されている。また、突出部１３１には、凹部１３１Ａが設けられている。この凹部１３１Ａは、突出部１３１の長手方向に沿って形成されている。言い換えると、凹部１３１Ａは、突出部１３１の先端部１３１Ｂから根本１３１Ｃに向かって延びるように形成されている。さらに、突出部１３１の先端部１３１Ｂには、開口１３１Ｄが形成されている。
【００３７】
また、突出部１３１の先端部１３１Ｂ且つ外周面に、歯科用照明装置１００の背面側に向かって突出する突起１３２が設けられている。
さらに、この突起１３２に接続され、装置本体１１０の幅方向に沿って延びる弾性片１３３が設けられている。
弾性片１３３は、突起１３２との接続部を始点として、突出部１３１の根本１３１Ｃ側に向かうように形成され、さらに、突出部１３１との間に間隙を有した状態で配置されている。
【００３８】
さらに、弾性片１３３が有する複数の面のうち、歯科用照明装置１００の背面側を向く背面側面１３３Ａには、上記にて説明した被操作部２１１が設けられている。
さらに、この被操作部２１１よりも突起１３２側には、右側取手２１０に引っ掛かる引っ掛かり突起２１２が設けられている。
【００３９】
図５は、図４の矢印Ｖから第１固定部分２９１を眺めた場合の断面図である。
図５に示すように、本実施形態では、突出部１３１の凹部１３１Ａ内に、付勢手段として機能するコイルばね１３５が設けられている。
コイルばね１３５は、装置本体１１０へ右側取手２１０が取り付けられると、この右側取手２１０を付勢し、右側取手２１０の引っ張り方向へ右側取手２１０を付勢する。言い換えると、右側取手２１０の取り外し方向へ、右側取手２１０を付勢する。
なお、コイルばね１３５は、第１固定部分２９１に設けられ、第２固定部分２９２（図３（Ａ）参照）には設けられていない。
【００４０】
右側取手２１０には、第１部位２８１の長手方向に沿って延びる突起２１４が設けられている。本実施形態では、装置本体１１０へ右側取手２１０が取り付けられると、凹部１３１Ａに、この突起２１４が入り込み、コイルばね１３５がこの突起２１４により圧縮される。これにより、右側取手２１０の引っ張り方向へ、右側取手２１０が付勢される。
さらに、右側取手２１０には、突出部１３１、弾性片１３３が入り込む凹部２１５が設けられている。この凹部２１５の内周面２１５Ａには、引っ掛かり突起２１２が入り込む凹部２１５Ｂが設けられている。
【００４１】
装置本体１１０に右側取手２１０が取り付けられると、右側取手２１０の凹部２１５Ｂに、引っ掛かり突起２１２が入り込む。
これにより、引っ掛かり突起２１２への右側取手２１０の引っ掛かりが生じるようになり、装置本体１１０に対する右側取手２１０の移動が規制される（装置本体１１０へ右側取手２１０が固定される）。
【００４２】
具体的には、右側取手２１０を引っ張ろうとしても、引っ掛かり突起２１２の側面２１２Ａに、右側取手２１０に設けられた取手側突起２１７が突き当たるようになり、右側取手２１０の移動が規制される。
なお、引っ掛かり突起２１２が有する側面２１２Ａの、引っ張り方向に対する角度は、概ね９０°となっている。
【００４３】
装置本体１１０からの右側取手２１０の取り外し時には、操作者が、被操作部２１１を、図中矢印５Ａで示す方向に押圧する。
これにより、引っ掛かり突起２１２と取手側突起２１７との引っ掛かりが解除される。言い換えると、取手側突起２１７の移動経路上から、引っ掛かり突起２１２が退避する。
【００４４】
引っ掛かり突起２１２と取手側突起２１７との引っ掛かりが解除されると、右側取手２１０の第１部位２８１が、引っ張り方向へ移動する。
具体的には、右側取手２１０の第１部位２８１は、コイルばね１３５により付勢されているため、引っ掛かり突起２１２と取手側突起２１７との引っ掛かりが解除されると、第１部位２８１は、右側取手２１０の引っ張り方向へ移動する。
【００４５】
これにより、本実施形態では、操作者による被操作部２１１の押圧が解除されても、引っ掛かり突起２１２と取手側突起２１７との引っ掛かりが再び起きることが防止される。
言い換えると、凹部２１５Ｂ内に、引っ掛かり突起２１２が再び入り込むことが防止される。
その後、操作者は、把持部２８３（図２（Ａ）参照）まで右手を移動させて、把持部２８３を把持する。そして、操作者が、右側取手２１０を装置本体１１０から離れる方向へ引っ張ると（装置本体１１０の幅方向へ右側取手２１０を引っ張ると）、装置本体１１０から右側取手２１０が外れるようになる。
【００４６】
図６は、第２固定部分２９２の構造を説明する図である。より具体的には、図６は、図３（Ａ）の矢印ＶＩ方向から第２固定部分２９２を見た場合の図である。
第２固定部分２９２であって、装置本体１１０側には、装置本体１１０の端部から、装置本体１１０の幅方向へ突出する四角柱状の突出部１８１が設けられている。
突出部１８１は、上面１８１Ａ、背面側側面１８１Ｂ、正面側側面１８１Ｃ、下面１８１Ｄを有する。
【００４７】
正面側側面１８１Ｃの対向位置には、突出部１８１の突出方向に沿って延びる正面側弾性片１８３Ｃが設けられている。背面側側面１８１Ｂの対向位置には、突出部１８１の突出方向に沿って延びる背面側弾性片１８３Ｂ（図６では不図示）が設けられている。
正面側弾性片１８３Ｃ、背面側弾性片１８３Ｂの各々は、突出部１８１の突出方向における先端部１８１Ｅ側に接続され、突出部１８１の根本１８１Ｆ側に向かって延びるように配置されている。
さらに、正面側弾性片１８３Ｃ、背面側弾性片１８３Ｂの各々は、突出部１８１との間に間隙を有した状態で配置され、突出部１８１側に押圧されると突出部１８１側へ移動する。
【００４８】
さらに、上面１８１Ａには、上側弾性片１８３Ａが設けられ、下面１８１Ｄには、下側弾性片１８３Ｄが設けられている。
上側弾性片１８３Ａ、下側弾性片１８３Ｄも、突出部１８１の先端部１８１Ｅ側に接続され、突出部１８１の根本１８１Ｆ側に向かって延びている。
【００４９】
上側弾性片１８３Ａ、下側弾性片１８３Ｄは、延び方向における先端に位置する端部１８３Ａが、図中上下方向に移動するように変形する。
さらに、上面１８１Ａに設けられた上側弾性片１８３Ａには、上方に向かって突出する上方突起１８３Ｘが設けられ、下側弾性片１８３Ｄには、下方に向かって突出する下方突起１８３Ｙが設けられている。
【００５０】
図７は、図６の矢印ＶＩＩ方向から第２固定部分２９２を眺めた場合の断面図である。
右側取手２１０には、装置本体１１０に設けられた突出部１８１が入り込む凹部２１９が設けられている。
凹部２１９の内周面２１９Ｇには、上側弾性片１８３Ａに設けられた上方突起１８３Ｘが入り込む上方凹部２１９Ａと、下側弾性片１８３Ｄに設けられた下方突起１８３Ｙが入り込む下方凹部２１９Ｂとが設けられている。
【００５１】
本実施形態では、上方凹部２１９Ａに上方突起１８３Ｘが入り込み、下方凹部２１９Ｂに下方突起１８３Ｙが入り込むことで、第２固定部分２９２における、右側取手２１０の固定が行われる。
【００５２】
下方突起１８３Ｙには、取手２００の引っ張り方向に対して傾斜した傾斜面１８３Ｚが設けられている。
より具体的には、下方突起１８３Ｙの外面のうち、突出部１８１の根本１８１Ｆ（図６参照）側に位置する部分には、取手２００の引っ張り方向に対して傾斜した傾斜面１８３Ｚが設けられている。本実施形態では、引っ張り方向に対する傾斜面１８３Ｚの傾斜角度は、４５°となっている。また、傾斜面１８３Ｚは、突出部１８１の先端部１８１Ｅ側に向かうに従い突出部１８１から離れるように形成されている。
【００５３】
さらに、上方突起１８３Ｘにも、取手２００の引っ張り方向に対して傾斜した傾斜面１８３Ｓが設けられている。
より具体的には、上方突起１８３Ｘの外面のうち、突出部１８１の根本１８１Ｆ側に位置する部分には、取手２００の引っ張り方向に対して傾斜した傾斜面１８３Ｓが設けられている。この傾斜面１８３Ｓも、突出部１８１の先端部１８１Ｅ側に向かうに従い突出部１８１から離れるように形成されている。
【００５４】
本実施形態では、右側取手２１０の引っ張りを行うと、上方突起１８３Ｘおよび下方突起１８３Ｙが、右側取手２１０により押圧され、右側取手２１０の内周面２１９Ｇから離れる方向へ退避する。
これにより、右側取手２１０の移動経路上から上方突起１８３Ｘおよび下方突起１８３Ｙが外れた状態となり、引っ張り方向へ右側取手２１０がさらに移動する。そして、右側取手２１０をさらに引っ張ると、装置本体１１０から右側取手２１０が外れるようになる。
【００５５】
ここで、本実施形態では、引っ掛かり突起２１２（図５参照）が有する側面２１２Ａとは異なり、上方突起１８３Ｘが有する傾斜面１８３Ｓ、下方突起１８３Ｙが有する傾斜面１８３Ｚは、右側取手２１０の引っ張り方向に対して傾斜している。
付言すると、本実施形態では、引っ掛かり突起２１２が有する側面２１２Ａの傾斜角度（右側取手２１０の引っ張り方向に対する傾斜角度）よりも、傾斜面１８３Ｓの傾斜角度、傾斜面１８３Ｚの傾斜角度の方が小さくなっている。
【００５６】
このため、本実施形態では、第２固定部分２９２では、右側取手２１０を引っ張るだけで、第２固定部分２９２における固定が解除される。
第１固定部分２９１（図５参照）では、引っ掛かり突起２１２が有する側面２１２Ａが延びる方向と、右側取手２１０の引っ張り方向とが略直交する関係となっている。このため、第１固定部分２９１では、右側取手２１０を引っ張っただけでは固定が解除されず、上記のように、被操作部２１１に対する操作が必要となる。
これに対し、第２固定部分２９２では、右側取手２１０を引っ張るだけで、第２固定部分２９２における固定が解除される。
【００５７】
さらに、図７に示すように、本実施形態では、突出部１８１の上面１８１Ａと、凹部２１９の内周面２１９Ｇとの間に、間隙Ｇが設けられている。より具体的には、上面１８１Ａのうち、上方突起１８３Ｘよりも先端部１８１Ｅ側に位置する部分と、凹部２１９の内周面２１９Ｇとの間に、間隙Ｇが設けられている。
本実施形態では、この間隙Ｇが設けられることで、右側取手２１０の取り外しをより円滑に行えるようになる。
【００５８】
より具体的に説明すると、本実施形態では、第１固定部分２９１（図７では不図示）における固定の解除が先に行われ、この際、右側取手２１０の第１部位２８１が、装置本体１１０から離れる方向へ移動する（図７の矢印７Ｘで示す方向へ移動する）。
このとき、上記のように間隙Ｇが形成されていると、右側取手２１０が円滑に回転するようになり、右側取手２１０の取り外しをより円滑に行える。
【００５９】
より具体的には、本実施形態では、右側取手２１０の第１部位２８１が、装置本体１１０から離れる方向へ移動する際、右側取手２１０は、第２固定部分２９２を中心として回転しようとする。具体的には、第２固定部分２９２を中心として、右側取手２１０は、図７の矢印７Ａで示す方向へ回転しようとする。
このとき、上記のように間隙Ｇがあると、この回転がより円滑に行われるようになり、右側取手２１０の第１部位２８１が、装置本体１１０から離れる方向へより円滑に移動する。
【００６０】
図８は、図６の矢印ＶＩＩＩで示す方向から第２固定部分２９２を眺めた場合の断面図である。
本実施形態では、装置本体１１０に右側取手２１０が取り付けられた状態にあると、右側取手２１０に設けられた凹部２１９の内周面２１９Ｇに対して、正面側弾性片１８３Ｃ、背面側弾性片１８３Ｂが押し付けられる。
これにより、本実施形態では、装置本体１１０に対する右側取手２１０のがたつきが起きにくくなる。より具体的には、歯科用照明装置１００の正面側から背面側に向かう方向における、右側取手２１０のがたつきが起きにくくなる。
【００６１】
正面側弾性片１８３Ｃ、背面側弾性片１８３Ｂは、右側取手２１０の第２部位２８２を、右側取手２１０の引っ張り方向と交差する方向へ付勢する付勢手段として機能する。この付勢により、装置本体１１０に対する第２部位２８２の位置決めが行われて、右側取手２１０のがたつきが起きにくくなる。
なお、上側弾性片１８３Ａ（図６参照）、下側弾性片１８３Ｄについても、付勢手段として捉えることができ、上側弾性片１８３Ａ、下側弾性片１８３Ｄが設けられることで、上下方向における右側取手２１０のがたつきが抑制される。
【００６２】
本実施形態では、図５にて示した通り、右側取手２１０の引っ張り方向へ右側取手２１０を付勢するコイルばね１３５が設けられているが、このコイルばね１３５は、第１固定部分２９１に設けられ、第２固定部分２９２には設けられていない。
ここで、第２固定部分２９２（図６参照）にコイルばね１３５を設けてしまうと、このコイルばね１３５により、右側取手２１０の第２部位２８２が押圧され、第２固定部分２９２における固定が解除されてしまうおそれがある。
【００６３】
第２固定部分２９２には、被操作部２１１を備えた固定機構が設けられておらず、第２固定部分２９２にコイルばね１３５を設けてしまうと、第２部位２８２がこのコイルばね１３５により押圧されて、固定が解除されてしまうおそれがある。
このため、本実施形態では、第２固定部分２９２には、コイルばね１３５を設けず、第１固定部分２９１のみに、コイルばね１３５を設ける構成としている。
【００６４】
また、本実施形態では、右側取手２１０（図７参照）の第２部位２８２を、通常の操作荷重で、装置本体１１０から離れる方向（矢印７Ｙで示す方向）へ引っ張ったとしても、突出部１８１の少なくとも先端部１８１Ｅが、収容部である凹部２１９内に留まる構成となっている。
付言すると、本実施形態では、装置本体１１０のうち、図７の符号７Ｗで示す箇所が、右側取手２１０の第２部位２８２の被固定箇所となっているが、この被固定箇所から離れる方向へ第２部位２８２を引っ張ったとしても、突出部１８１の少なくとも先端部１８１Ｅが、収容部である凹部２１９内に留まる構成となっている。
【００６５】
より具体的には、本実施形態では、被操作部２１１（図３（Ａ）参照）に対する操作者の操作が行われておらず第１固定部分２９１における固定の解除が行われていない状態にて、第２部位２８２の部分を把持して、図３（Ａ）における左方向へ引っ張ったとしても、右側取手２１０は大きく変形せず、少なくとも先端部１８１Ｅ（図７参照）が、凹部２１９内に留まるようになっている（凹部２１９内から出てこないようになっている）。
【００６６】
付言すると、本実施形態では、右側取手２１０等の剛性が確保されており、第２部位２８２の部分を把持して引っ張ったとしても、右側取手２１０が大きく変形せず、突出部１８１の先端部１８１Ｅが、この突出部１８１を収容する凹部２１９内に留まる。
ここで、第２部位２８２を、装置本体１１０から離れる方向へ引っ張った際に、凹部２１９の外に、突出部１８１の全てが出てしまうと、凹部２１９内に突出部１８１が再び収納されなくなるおそれがある。
具体的には、凹部２１９の外に、突出部１８１の全てが出てしまうと、突出部１８１が凹部２１９内に戻ろうとしても、第２部位２８２の端部２８２Ｘ（図７参照）などに、突出部１８１の先端部１８１Ｅが突き当たって、凹部２１９内に突出部１８１が再び収納されなくなるおそれがある。
【００６７】
これに対し、本実施形態のように、突出部１８１の先端部１８１Ｅが、凹部２１９内に留まる構成であると、突出部１８１が凹部２１９内に戻らなくなるという不具合の発生が抑制される。
付言すると、本実施形態では、基本的に、上記のとおり、第１固定部分２９１における固定の解除、第２固定部分２９２における固定の解除の順で、固定の解除が行われるが、仮に、この順序とは逆の順序で固定の解除が行われたとしても、凹部２１９の外に、突出部１８１が出てしまうという不具合の発生が抑制される。
【００６８】
（その他）
上記では、装置本体１１０側に、突出部１８１などの突出部を設け、右側取手２１０側に、この突出部を収容する凹部を設けたが、これとは逆に、右側取手２１０側に、突出部を設け、装置本体１１０側に、この突出部を収容する凹部を設けてもよい。
また、本発明は、上述の実施形態に限定されるものでなく、様々な変形例を含む。上述した実施形態は、本発明を分かりやすく説明するために詳細に説明したものであり、必ずしも説明した全ての構成を備える必要はない。言い換えると、上述の実施形態は、一例であり、上述の実施形態に既知の構成を追加したり、実施形態の一部を削除したり、実施形態の一部を既知の構成で置換したりしてもよい。
【符号の説明】
【００６９】
１００…歯科用照明装置、１０５…一端部、１０６…他端部、１１０…装置本体、１１１…光源、１３５…コイルばね、１８３Ａ…上側弾性片、１８３Ｂ…背面側弾性片、１８３Ｃ…正面側弾性片、１８３Ｄ…下側弾性片、２１０…右側取手、２１１…被操作部、２５０…左側取手、２８１…第１部位、２８２…第２部位、２９１…第１固定部分、２９２…第２固定部分
【図１】
2019195514.tif 000003
【図２】
2019195514.tif 000004
【図３】
2019195514.tif 000005
【図４】
2019195514.tif 000006
【図５】
2019195514.tif 000007
【図６】
2019195514.tif 000008
【図７】
2019195514.tif 000009
【図８】
2019195514.tif 000010